(57)【特許請求の範囲】
【請求項１】
パネルの側端面にスポンジゴムで形成されるパッキンを設け、建物の躯体に複数枚のパネルを揺動自在に取り付けると共に隣接するパネルのパッキンの間にシーリング材を充填して成ることを特徴とする目地部の耐震構造。
【請求項２】
パッキンを中空に形成して成ることを特徴とする請求項１に記載の目地部の耐震構造。
【発明の詳細な説明】
【０００１】
【発明の属する技術分野】
本発明は、複数枚のパネルを並べて壁や天井などを形成した場合に、隣接するパネルの間に形成される目地部の耐震構造に関するものである。
【０００２】
【従来の技術】
従来より、地震や工場などで生じる振動等で建物の壁が破損、崩壊あるいは崩落しないようにするために各種の免震構造が提案されており、この一つとして、パネルをロッキング工法で施工して壁を形成することが行われている。ロッキング工法は複数枚のパネルを建物の梁等の躯体に取り付けて壁を形成するにあたって、各パネルの下端部の一方の隅部を躯体に枢着し、その他の隅部は躯体に対して移動自在に取り付けるようにするものであり、地震等で躯体が振動してもパネルがその面方向と略平行な方向で揺動（回動）することができ、このパネルの揺動により振動を吸収して壁の破損、崩壊あるいは崩落を防ぐことができるものである。そして、上記のようなパネルを並べて形成した壁（特に外壁）には、隣接するパネルの間に形成される間隙に不定形のシーリング材（コーキング材）を充填したりあるいはガスケットを装着したりして目地部を形成することによって止水することが行われている。
【０００３】
【発明が解決しようとする課題】
しかし、従来のシーリング材やガスケットではパネルの揺動により力がかかると割れや脱落等が発生して目地部の止水性能が低下するという問題があった。特に、上下方向に長いパネル（高いパネル）を用いた場合、パネルが振動により揺動すると、水平方向で隣接するパネルの上部間で生じる上下方向の位置ズレは非常に大きくなってシーリング材やガスケットに大きな負荷がかかるものであり、止水性能の低下が起こりやすいものであった。
【０００４】
本発明は上記の点に鑑みてなされたものであり、免震構造の建物において振動が生じても目地部の止水性能が低下しないようにすることができる目地部の耐震構造を提供することを目的とするものである。
【０００５】
【課題を解決するための手段】
本発明の請求項１に係る目地部の耐震構造は、パネル１の側端面にスポンジゴムで形成されるパッキン２を設け、建物の躯体に複数枚のパネル１を揺動自在に取り付けると共に隣接するパネル１のパッキン２の間にシーリング材３を充填して成ることを特徴とするものであり、パッキン２とシーリング材３の両方で止水することができ、止水性能を高くすることができるものであり、しかも、振動によりパネル１が揺動してパッキン２に力がかかってもスポンジゴムのパッキン２が弾性変形することによりその力を吸収してパッキン２の取付部分やシーリング材３への負荷を小さくすることができ、パッキン２やシーリング材３に脱落やクラック等の破損が生じないようにして止水性能が低下しないようにすることができるものである。
【０００６】
本発明の請求項２に係る目地部の耐震構造は、請求項１に加えて、パッキン２を中空に形成して成ることを特徴とするものであり、パッキン２を弾性変形しやすくしてパッキン２による力の吸収作用を高めることによって、パッキン２の取付部分やシーリング材３への負荷をより小さくすることができ、大きな振動に対してもパッキン２やシーリング材３に脱落やクラック等の破損が生じないようにして止水性能が低下しないようにすることができるものである。
【０００７】
【発明の実施の形態】
以下、本発明の実施の形態を説明する。
【０００８】
本発明では複数枚のパネル１を枠体１０に取り付けて図６（ａ）（ｂ）に示すようなパネルユニット１１を形成し、複数枚のパネルユニット１１を建物の梁や柱等の躯体に取り付けることによって、建物の躯体に複数枚のパネルユニット１１を揺動自在に取り付けるものである。パネル１としては、二枚の金属板の間に芯材（断熱材）を充填して形成されるサンドイッチパネル、軽量発泡コンクリートパネル（ＡＬＣパネル）、めっき鋼板、着色鋼板などの従来から壁材として用いられている公知のものを用いることができる。
【０００９】
図１〜５に示すパネル１はサンドイッチパネルであって、鋼板、アルミニウム板、亜鉛めっき鋼板、ガルバリウム鋼板、着色鋼板などの金属板と、ロックウール、グラスウール、ウレタンフォーム、フェノールフォームなどの芯材とを用いて形成されるものである。また、パネル１は上下方向に長い矩形状に形成されているが、パネル１には幅寸法の異なる二種類のものがあって、一方のパネル１が端部パネル１ａとして形成されていると共に他方のパネル１は端部パネル１ａよりも幅寸法の大きい中間パネル１ｂとして形成されている。端部パネル１ａと中間パネル１ｂは長手方向の寸法（上下方向の寸法）は略同じに形成されている。尚、端部パネル１ａと中間パネル１ｂは同じ幅寸法に形成してもよい。
【００１０】
また、中間パネル１ｂの幅方向の一方の端部には嵌合凸部が上下方向の全長に亘って形成されていると共に中間パネル１ｂの幅方向の他方の端部には嵌合凸部と嵌合可能な嵌合凹部が上下方向の全長に亘って形成されている。また、端部パネル１ａの一方の端部（中間パネル１ｂ側の端部）にも隣接する中間パネル１ｂの嵌合凸部あるいは嵌合凹部と嵌合可能な嵌合凹部あるいは嵌合凸部が上下方向の全長に亘って形成されている。尚、本発明では嵌合凸部と嵌合凹部が設けられていないパネル１を用いてもよい。また、端部パネル１ａは所定の幅寸法のものを工場で作製してもよく、また、端部パネル１ａよりも幅寸法の大きい切断用のパネル（例えば、中間パネル１ｂ）を施工現場等で切断することにより、所定の幅寸法の端部パネル１ａを形成するようにしてもよい。
【００１１】
枠体１０は鋼材や木材等を用いて上下に長くて四角枠状に形成されている。そして、枠体１０の表側の両側端部に端部パネル１ａを取り付けると共に枠体１０に取り付けた二枚の端部パネル１ａの間に複数枚の中間パネル１ｂを並べて枠体１０に取り付けることによって、パネルユニット１１を形成することができる。この時、隣接する中間パネル１ｂ同士あるいは隣接する端部パネル１ａと中間パネル１ｂの嵌合凸部と嵌合凹部を嵌合することにより、所定の目地を介して隣接するパネル１を接続することができる。
【００１２】
また、パネルユニット１１の両側端部には上下方向の全長に亘って目地片１２が突設されている。この目地片１２は断面略Ｌ字状に形成されており、パネルユニット１１の面方向と略平行に端部パネル１ａの側端部に突設される表面片１３と表面片１３の先端から背方（屋内側）に向かって突設される挟持片１４とで形成されている。このような目地片１２は端部パネル１ａの側端部に別部材のものを取り付けてもよいが、パネル１がサンドイッチパネルの場合で端部パネル１ａを上記の切断により形成する場合は、端部パネル１ａの表面側の金属板の側端部を利用して目地片１２を形成することができる。すなわち、まず、切断用のパネルを端部パネル１ａよりもやや大きめに切断する。切断用のパネルを切断する大きさは最終の端部パネル１ａの幅寸法と目地片１２の長さ寸法（表面片１３の幅寸法と挟持片１４の屋内外方向の長さ寸法）の合計である。次に、目地片１２となる箇所において切断したパネルの芯材を除去する。次に、表面片１３と挟持片１４の境界部分で金属板の側端部を屋内側に向けて折り曲げて挟持片１４を形成する。このようにして端部パネル１ａの表面側の金属板の側端部により目地片１２を形成することができ、この場合、目地片１２を別部材で形成するよりも部品点数が減ると共に切断用のパネルの無駄になる部分が少なくなってコストダウンを図ることができる。
【００１３】
また、目地片１２の屋内側面には断熱材３０が設けられている。この断熱材３０としてはパネル１の芯材と同様の材料やスポンジゴムなどで形成することができ、目地片１２に接着等して取り付けることができる。そして、この断熱材３０により隣接するパネルユニット１１の間に形成される目地部の断熱性を向上させて結露防止などを図ることができるものである。尚、パネルユニット１１の大きさは任意であるが、例えば、高さ寸法が１５ｍ、幅寸法が６ｍなどに形成することができる。また、パネル１の並べる方向は水平方向だけでなく、鉛直方向（上下方向）であってもよい。
【００１４】
そして、所定の間隙１５を介して複数枚のパネルユニット１１を水平方向に並べて建物の躯体に取り付けることによって、建物の外壁等の壁を形成することができるが、躯体にパネルユニット１１を取り付けるにあたってはロッキング工法を用いる。ロッキング工法としては公知の各種のものを採用することができるが、例えば、図７に示すように、パネルユニット１１の枠体１０の四隅ａ〜ｄに略円形の取着孔を形成し、各取着孔にボルト等の断面略円形の固着具を挿入すると共に固着具を躯体に結合することによってパネルユニット１１を躯体に取り付ける場合に、枠体１０の下端の一方の隅部ａに設けた取着孔の孔径を固着具の外径とほぼ同じに形成すると共に他の隅部ｂ〜ｄに設けた取着孔の孔径を固着具の外径よりも大きく形成するものであり、これにより、枠体１０の下端の一方の隅部ａを固着具に枢着することができると共に他の隅部ｂ〜ｄの取着孔の内周と固着具の外周の間には間隙を形成することができ、パネルユニット１１をその下端の一方の隅部ａを中心として揺動自在（回動自在）に形成することができるものであり、パネルユニット１１が揺動することで複数枚のパネル１が揺動自在に形成されている。従って、図８（ａ）（ｂ）に示すように、地震等で躯体が矢印の方向に振動したとしてもパネルユニット１１をその面方向と略平行な方向で揺動（回動）させることができ、このパネルユニット１１の揺動により振動を吸収して壁の破損、崩壊あるいは崩落を防ぐことができるものである。尚、パネルユニット１１を躯体に取り付けるにあたってはファスナーなどの固定具を用いることもできる。
【００１５】
そして、本発明の目地部は、所定の間隙１５を介して複数枚のパネルユニット１１を並べて躯体に取り付けた時に隣り合うパネルユニット１１の側端部の間に形成される間隙１５内に、スポンジゴムで形成されるパッキン２とシーリング材３とを配設することによって形成することができる。パッキン２を形成するスポンジゴムは、通常のゴムよりも連続気泡の多い軟質のゴム材料が好適である。本発明ではパッキン２として具体的にはＥＰＤＭスポンジゴムパッキンを用いることができるが、もちろん、これに限定されるものではない。また、パッキン２はその内部に中空部２０を設けることによって、断面略ロ字状で略四角筒状に形成されている。シーリング材３としてはアクリル樹脂、シリコン、ポリサルファイドなどを主成分とする各種建築用シーリング材を用いることができる。
【００１６】
図１に本発明の目地部の一例を示す。この例では間隙１５に一対のパッキン２が配設されている。パッキン２は間隙１５の両側にあるパネルユニット１１の側端部に一つずつ取り付けられている。パッキン２をパネルユニット１１の側端部に取り付けるにあたっては受け部材１６が用いられている。受け部材１６は断面略Ｌ字状でパネルユニット１１の全長に亘って取り付けられており、パネルユニット１１の端部パネル１ａに形成した目地片１２の挟持片１４の裏面（屋内側面）に固定される固定片１７と、固定片１７の背方側の端部から間隙１５内に突出する受け片１８とから形成されている。そして、目地片１２の挟持片１４の外面（間隙１５側の面）と受け片１８の前面とにパッキン２を密着させて接着することによって、パネルユニット１１の側端部の上下方向の全長に亘ってパッキン２が取り付けられている。パネルユニット１１への受け部材１６及びパッキン２の取り付けは、パネルユニット１１を躯体に取り付ける前に行なう。
【００１７】
上記の一対のパッキン２は間隙１５内において所定の隙間２１を介して対向配置されている。また、各パッキン２の互いに対向する面には突出部２２が形成されており、対向する突出部２２の前面に跨るようにしてバックアップ材２３が間隙１５の上下方向の全長に亘って設けられている。そして、バックアップ材２３の前側においてパッキン２の互いに対向する面の間（隙間２１）の空間が上下方向に長い充填溝２５として形成されており、シーリング材３はこの充填溝２５に充填されている。このシーリング材３は充填溝２５の上下方向の全長に亘って充填されており、これにより、対向配置されるパッキン２の隙間２１がシーリング材３で閉塞されている。このようにしてパッキン２とシーリング材３による止水機能（防水機能）を有する目地部を形成することができる。
【００１８】
そして、本発明では隣接するパネルユニット１１の対向する側端部の間に一対のパッキン２を対向させて設けると共に対向する一対のパッキン２の間の隙間２１にシーリング材３を充填するので、パッキン２とシーリング材３の両方で止水することができ、止水性能を高くすることができるものである。また、地震等の振動によりパネルユニット１１（パネル１）が揺動してパッキン２に力がかかってもスポンジゴムのパッキン２が弾性変形することにより力を吸収してパッキン２の取付部分（接着部分）やシーリング材３に力がかからないようにすることができ、パッキン２やシーリング材３の破損や脱落が生じないようにして止水性能が低下しないようにすることができるものである。しかも、パッキン２は中空部２０を設けて中空に形成されているので、中空部２０が形成されていないものと比較して弾性変形しやすく力の吸収作用が高いものである。従って、パネルユニット１１の揺動（パネル１の揺動）による変位が大きくなってもその変位に追随させてパッキン２を大きく弾性変形させることができ、パッキン２の取付部分やシーリング材３に力がかかるのをより少なくすることができ、大きな振動に対してもパッキン２やシーリング材３の破損や脱落が生じないようにして止水性能が低下しないようにすることができるものである。
【００１９】
図２に本発明の目地部の他例を示す。この目地部では、間隙１５に充填した一対のパッキン２の互いに対向する面を密着させているものであり、従って、パッキン２の間の隙間２１がほとんど無くなり、止水性能を向上させることができる。また、パッキン２の前面の境界部分において、両方のパッキン２に跨るように断面略くさび状の充填溝２５がパッキン２の上下方向の全長に亘って形成されている。この例では図１に示す例のようなバックアップ材２３及び突出部２２は設けられていないが、その他の構成は図１のものとほぼ同様である。
【００２０】
図３に本発明の目地部の他例を示す。この目地部では図２のものにおいて断面略くさび状の充填溝２５を形成する代わりに、断面略コ字状の充填溝２５を両方のパッキン２に跨るように形成したものである。この充填溝２５はパッキン２の上下方向の全長に亘って形成されており、また、充填溝２５の底面にはバックアップ材２３が充填溝２５の上下方向の全長に亘って設けられている。その他の構成は図２のものとほぼ同様である。
【００２１】
図４に本発明の目地部の他例を示す。この目地部は図３のものにおいて間隙１５に充填したパッキン２の背方に樋２７を配設したものであり、その他の構成は図３のものと同様である。樋２７は金属や合成樹脂等で断面略コ字状に形成されるものであって、隣接するパネルユニット１１の間の空間に上下方向の全長に亘って配設されている。また、各パネルユニット１１の側端部にはパネルユニット１１の上下方向の全長に亘って保持部材２８が設けられている。保持部材２８は断熱性を有するものであって、上記のパッキン２や断熱材３０と同様のスポンジゴム等で形成することができる。また、保持部材２８は上記の断熱材３０と同様に目地片１２の屋内側に設けられており、表面片１３の背面と受け部材１６の固定片１７の内面とに密着して取り付けられている。そして、この保持部材２８に樋２７の両端部を差し込むことによって、樋２７が保持部材２８に保持されて取り付けられている。その他の構成は図３のものとほぼ同様である。そして、パネルユニット１が揺動することにより目地部に若干の隙間が生じてその隙間に水が侵入しても、上記の樋２７によりパネルユニット１１の背面側に水が回り込まないようにすることができ、止水性能をさらに向上させることができる。
【００２２】
図５に他の実施の形態を示す。この実施の形態では目地片１２に受け片１８を一体に設けることにより受け部材１６を用いないようにしたものであり、これ以外は上記の実施の形態と同様にすることができる。すなわち、目地片１２は断面略Ｚ字状に形成されており、パネルユニット１１の面方向と略平行に端部パネル１ａの側端部に突設される表面片１３と、表面片１３の先端から背方（屋内側）に向かって突設される挟持片１４と、挟持片１４の先端からパネルユニット１１の面方向と略平行に突設される受け片１８とで形成されている。このような目地片１２は端部パネル１ａの側端部に別部材のものを取り付けてもよいが、パネル１がサンドイッチパネルの場合で端部パネル１ａを上記の切断により形成する場合は、端部パネル１ａの表面側の金属板の側端部を利用して目地片１２を形成することができる。すなわち、まず、切断用のパネルを端部パネル１ａよりもやや大きめに切断する。切断用のパネルを切断する大きさは最終の端部パネル１ａの幅寸法と目地片１２の長さ寸法（表面片１３の幅寸法と挟持片１４の屋内外方向の長さ寸法と受け片１８の幅寸法）の合計である。次に、目地片１２となる箇所において切断したパネルの芯材を除去する。次に、表面片１３と挟持片１４の境界部分で金属板の側端部を屋内側に向けて折り曲げて挟持片１４を形成すると共に挟持片１４と受け片１８の境界部分で金属板の側端部を芯材と反対側に向けて折り曲げて受け片１８を形成する。このようにして端部パネル１ａの表面側の金属板の側端部により目地片１２を形成することができ、この場合、図１〜４のように受け部材１６を別部材で形成するよりも部品点数や受け部材１６の取り付け作業が減ると共に切断用のパネルの無駄になる部分が少なくなってコストダウンを図ることができるものである。尚、この実施の形態においても図１〜４の受け部材１６の受け片１８の代わりに、目地片１２に一体に形成された受け片１８を用いることにより、図１〜４のものと同様の目地部を形成することができる。
【００２３】
【発明の効果】
上記のように本発明の請求項１の発明は、パネルの側端面にスポンジゴムで形成されるパッキンを設け、建物の躯体に複数枚のパネルを揺動自在に取り付けると共に隣接するパネルのパッキンの間にシーリング材を充填するので、パッキンとシーリング材の両方で止水することができ、止水性能を高くすることができるものであり、しかも、振動によりパネルが揺動してパッキンに力がかかってもスポンジゴムのパッキンが弾性変形することによりその力を吸収してパッキンの取付部分やシーリング材への負荷を小さくすることができ、パッキンやシーリング材に脱落やクラック等の破損が生じないようにして止水性能が低下しないようにすることができるものである。
【００２４】
また本発明の請求項２の発明は、パッキンを中空に形成するので、パッキンを弾性変形しやすくしてパッキンによる力の吸収作用を高めることによって、パッキンの取付部分やシーリング材への負荷をより小さくすることができ、大きな振動に対してもパッキンやシーリング材に脱落やクラック等の破損が生じないようにして止水性能が低下しないようにすることができるものである。
【図面の簡単な説明】
【図１】本発明の実施の形態の一例を示す断面図である。
【図２】同上の他の実施の形態を示す断面図である。
【図３】同上の他の実施の形態を示す断面図である。
【図４】同上の他の実施の形態を示す断面図である。
【図５】同上の他の実施の形態を示す断面図である。
【図６】同上のパネルユニットを示し、（ａ）は正面図、（ｂ）は平面図である。
【図７】同上のパネルユニットを取り付けた状態を示す概略の正面図である。
【図８】同上のパネルユニットの揺動を示し、（ａ）（ｂ）は概略の正面図である。
【符号の説明】
１  パネル
２  パッキン
３  シーリング材
【図１】
0003878472.tif 000002
【図２】
0003878472.tif 000003
【図３】
0003878472.tif 000004
【図４】
0003878472.tif 000005
【図５】
0003878472.tif 000006
【図６】
0003878472.tif 000007
【図７】
0003878472.tif 000008
【図８】
0003878472.tif 000009